(57)【要約】【課題】大きい曲げ強度を有し且つ純木質材と変わらない外観を有する建築用複合材を提供する。また、この建築用複合材を利用して簡便且つ低コストにセントラルクリーニングシステムが構成される建築物を提供する。【解決手段】建築用複合材は、金属管Ａと該金属管Ａを覆う複数の木質材ｂで構成される集成木質材Ｂとを有し、前記複数の木質材ｂは、前記金属管Ａ外面に密着するとともに、隣接する木質材ｂどうしが接着剤で接着される。この建築用複合材を利用した建築物は、前記建築用複合材を柱および／または横架材として用い、該柱および／または横架材の少なくとも一部の金属管Ａをセントラルクリーニングシステムのゴミ移送管路とする。【選択図】      図１
2007205114.tif 000002
【特許請求の範囲】
【請求項１】
金属管（Ａ）と、該金属管（Ａ）の外周に沿って配されることで金属管（Ａ）を覆う複数の木質材（ｂ）で構成される集成木質材（Ｂ）とを有し、
前記集成木質材（Ｂ）を構成する複数の木質材（ｂ）は、前記金属管（Ａ）外面に密着するとともに、隣接する木質材（ｂ）どうしが接着剤で接着されることを特徴とする建築用複合材。
【請求項２】
集成木質材（Ｂ）が、断面形状が略同一の４つの木質材（ｂ）で構成されるとともに、断面の外形状が略正四角形であることを特徴とする請求項１に記載の建築用複合材。
【請求項３】
金属管（Ａ）が、該金属管長手方向と直交する方向に延びる継手管部（ａ）を有し、該継手管部（ａ）は集成木質材（Ｂ）を貫通し、その先端が集成木質材（Ｂ）の側部に突出していることを特徴とする請求項１または２に記載の建築用複合材。
【請求項４】
セントラルクリーニングシステムを備えた建築物であって、
請求項１〜３のいずれかに記載の建築用複合材を、柱および／または横架材として用い、該柱および／または横架材の少なくとも一部の金属管（Ａ）をセントラルクリーニングシステムのゴミ移送管路とすることを特徴とする建築物。
【発明の詳細な説明】
【技術分野】
【０００１】
本発明は、住宅などの建築物に使用される建築用複合材およびこれを用いた建築物に関する。
【背景技術】
【０００２】
近年、住宅などの建物の耐震性の確保が大きな課題となっている。建物の耐震性を確保するには、その構造を適正化するとともに、強度の大きい建材（特に、柱材や梁材など）を使用する必要がある。
従来、建築用の材料として、木質材を積層した集成材や、木質材と金属材を組み合わせた複合材が種々提案されている。これら集成材や複合材の主たる目的は、断面寸法をできるだけ小さくする一方で、その曲げ強度を向上させることにある。そのような目的の複合材の一つとして、特許文献１には、特殊な溝型形状を有するＨ形鋼の溝内に木質材を加圧嵌合した複合材が提案されている。
【特許文献１】特開平８−２８４３１０号公報
【発明の開示】
【発明が解決しようとする課題】
【０００３】
しかし、特許文献１に記載の複合材は、梁材用としては所望の強度を確保できるとしても、柱材に適用した場合の曲げ強度が十分でないという欠点がある。また、この複合材は金属材（Ｈ形鋼）の一部が外側に露出するため、木造の外観が重視されるような建築物には使いにくいという問題もある。
【０００４】
したがって本発明の目的は、以上のような従来技術の課題を解決し、柱材としても十分な曲げ強度が確保でき、且つ純木質材と変わらない外観を有する建築用複合材を提供することにある。
また、本発明の他の目的は、このような建築用複合材を利用して簡便且つ低コストにセントラルクリーニングシステムが構成される建築物を提供することにある。
【課題を解決するための手段】
【０００５】
このような課題を解決するための本発明の要旨は、以下のとおりである。
［1］金属管（Ａ）と、該金属管（Ａ）の外周に沿って配されることで金属管（Ａ）を覆う複数の木質材（ｂ）で構成される集成木質材（Ｂ）とを有し、
前記集成木質材（Ｂ）を構成する複数の木質材（ｂ）は、前記金属管（Ａ）外面に密着するとともに、隣接する木質材（ｂ）どうしが接着剤で接着されることを特徴とする建築用複合材。
［2］上記［1］の建築用複合材において、集成木質材（Ｂ）が、断面形状が略同一の４つの木質材（ｂ）で構成されるとともに、断面の外形状が略正四角形であることを特徴とする建築用複合材。
【０００６】
［3］上記［1］または［2］の建築用複合材において、金属管（Ａ）が、該金属管長手方向と直交する方向に延びる継手管部（ａ）を有し、該継手管部（ａ）は集成木質材（Ｂ）を貫通し、その先端が集成木質材（Ｂ）の側部に突出していることを特徴とする建築用複合材。
［4］セントラルクリーニングシステムを備えた建築物であって、
上記［1］〜［3］のいずれかの建築用複合材を、柱および／または横架材として用い、該柱および／または横架材の少なくとも一部の金属管（Ａ）をセントラルクリーニングシステムのゴミ移送管路とすることを特徴とする建築物。
【発明の効果】
【０００７】
本発明の建築用複合材は、曲げ強度が大きい金属管（Ａ）を中心部材とし、その外側を集成木質材（Ｂ）が覆う構造であるため、柱材に適用可能な十分な曲げ強度を有し、且つ純木質材と変わらない外観を有する。
また、本発明の建築物は、建築用複合材が有する金属管（Ａ）をセントラルクリーニングシステム用のゴミ移送管路として利用するため、わざわざ同システム用のゴミ移送管路を設ける必要がなく、このためセントラルクリーニングシステムを簡便且つ低コストに導入することができる。
【発明を実施するための最良の形態】
【０００８】
図１〜図３は、本発明の建築用複合材の一実施形態を示すもので、図１は正面図、図２は側面図、図３は金属管Ａと木質材ｂを分解した状態で示す正面図である。
本発明の建築用複合材は、金属管Ａと、この金属管Ａを覆う集成木質材Ｂとを有する。
前記金属管Ａの種類は問わないが、強度およびコストの点で鋼管（ステンレス鋼管も含む）が好ましい。また、金属管Ａの径や長さなども建材の用途に応じて適宜決められる。
なお、金属管Ａの管端部は、金属板や木材などで閉塞してもよいし、或いは管端を開放させてもよい。
【０００９】
前記集成木質材Ｂは、金属管Ａの外周に沿って配されることで金属管Ａを覆う複数の木質材ｂで構成されるものであり、本実施形態では断面形状が略同一の４つの木質材ｂで構成されている。これら複数の木質材ｂは、前記金属管Ａ外面に密着するとともに、隣接する木質材ｂどうしが接着剤で接着されることで集成され、集成木質材Ｂを形成する。
金属管Ａの外面に接する木質材ｂ面は、金属管Ａの曲率に合わせて弧状に構成されている。
【００１０】
木質材ｂは無垢材でもよいし、それ自体が集成材であってもよい。本発明の建築用複合材では、各木質材ｂはそれほど大断面でなくてもよいため間伐材が利用でき、経済的である。
木質材ｂどうしを接着する接着剤は、集成材などに利用されている公知のものを使用すればよい。
本実施形態の集成木質材Ｂは、断面形状が略同一の４つの木質材ｂで構成されるとともに、断面の外形状が略正四角形であるが、木質材ｂの本数（２本以上）や各々の断面形状、集成木質材Ｂの断面形状などは任意である。
以上のような本発明の建築用複合材は、建築物の柱材、梁などのような横架材など、適宜な部材として用いることができる。
【００１１】
図４は、本発明の建築用複合材の他の実施形態を示すもので、建築用複合材Ｘ、Ｘ′の端部を示す側面図である。この実施形態は、建築用複合材Ｘ、Ｘ′どうしを接合するために、金属管Ａに継手管部ａを備えさせたものである。
建築用複合材Ｘを構成する金属管Ａは、金属管長手方向と直交する方向に延びる継手管部ａを有している。この継手管部ａは集成木質材Ｂを貫通し、その先端が集成木質材Ｂの側部に突出している。なお、後述するように建築物に適用される本発明の建築用複合材を、セントラルクリーニングシステム用のゴミ移送管路として用いる場合には、接合される複数の建築用複合材の金属管Ａどうしが連通する必要があり、したがって、上記継手管部ａ内部と金属管Ａ内部も連通する必要がある。
【００１２】
前記継手管部ａは、通常は建築用複合材Ｘの端部に設けられるが、長手方向の中間部に設けてもよい。また、図４に示すように、１箇所に対して異なる方向に延びる複数本の継手管部ａを設けてもよい。
また、継手管部ａを建築用複合材Ｘの端部に設ける場合には、継手管部ａが集成木質材Ｂを貫通するのではなく、集成木質材Ｂに継手管部ａを通すスリットなどを設けてもよい。
【００１３】
前記継手管部ａは、接合すべき相手方の建築用複合材Ｘ′の金属管Ａの管端部に嵌挿することにより、建築用複合材Ｘ、Ｘ′どうしを接合するもので、このための金属管Ａの内径よりも少し小さい外径を有している。
また、建築用複合材Ｘ、Ｘ′どうしの接合をより強固にするため、本実施形態の継手管部ａは、固定ボルト１で相手方の建築用複合材Ｘ′の金属管Ａに固定されるようになっている。このため継手管部ａには径方向にボルト挿通孔２が貫設されるとともに、接合される相手方の建築用複合材Ｘ′の端部近くには、径方向に集成木質材Ｂと金属管Ａを貫くボルト孔３が形成され、集成木質材Ｂに形成されたボルト孔部分の少なくとも一部にネジ部（図示せず）が設けられている。
【００１４】
そして、建築用複合材Ｘの継手管部ａを、接合すべき相手方の建築用複合材Ｘ′の金属管Ａの管端部に嵌挿した状態で、前記ボルト孔３およびボルト挿通孔２に固定ボルト１を装着して締め付けすることにより、建築用複合材Ｘ、Ｘ′どうしが強固に接合される。固定ボルト１を装着して締め付けした後は、ボルト孔３の入口を木栓４で塞ぐことが好ましい。
なお、継手管部ａを相手方の建築用複合材Ｘ′の金属管Ａに接合するための手段としては、上記固定ボルト方式以外の適宜なものを適用することができる。
図５は、図４に示すような継手管部ａを有する建築用複合材Ｘを、柱材及び横架材として用い、それらを継手管部ａを介して接合した建築物の骨格構造の一例を示している。図において、Ｙは建物の基礎部である。
【００１５】
次に、本発明の建築用複合材を利用してセントラルクリーニングシステムが構成される建築物について説明する。
この建築物は、本発明の建築用複合材が有する金属管Ａをセントラルクリーニングシステム用のゴミ移送管路として利用するものである。図６および図７はその一実施形態を示すもので、図６は建築物の骨格構造の側面図、図７はゴミ移送管路に設けられる清掃用吸引口と、これに脱着自在に取り付けられる清掃用アタッチメントを示す平面図（なお、集成木質材Ｂは省略してある）である。
【００１６】
セントラルクリーニングシステムとは、次のようなものであり、従来から住宅、各種工場、病院、オフィスビル、ホテル、デパートなどの商業施設、劇場などの娯楽施設、学校・図書館などの公共施設など、種々の建物で広く使用されている。セントラルクリーニングシステムは、建物内部にゴミ移送管路を巡らし、その管路の末端を屋外や床下或いは設置室などに置かれたクリーナー本体（吸引源）に接続する。建物内の各室や通路を通るゴミ移送管路には、適所に清掃用吸引口を設け、この清掃用吸引口に、同清掃用吸引口への差し込み部・ホース・管棒・床ブラシなどからなり、且つ前記クリーナー本体をＯＮ／ＯＦＦできるスイッチを備えた清掃用アタッチメントを脱着自在に取り付け（差し込み部を清掃用吸引口に差し込む）、この清掃用アタッチメントで清掃を行うものである。
このようなセントラルクリーニングシステムは、重いクリーナー本体を持ち運びすることなく、清掃用吸引口に清掃用アタッチメントを取り付けるだけで清掃を行うことができるため、清掃作業の負荷が小さく、また、清掃場所での排気がないため清潔で衛生的であり、音も静かであるという利点がある。
【００１７】
図６の実施形態は、本発明の建築用複合材Ｘ１〜Ｘ８を柱材及び横架材として用い、それらを継手管部ａを介して接合したものであるが、建築用複合材Ｘ３（横架材）、Ｘ２（柱材）、Ｘ５（横架材）、Ｘ８（柱材）、Ｘ６（横架材）の各金属管Ａの各一部でセントラルクリーニングシステムのゴミ移送管路Ｄが構成されている。これら建築用複合材Ｘ３（横架材）、Ｘ２（柱材）、Ｘ５（横架材）、Ｘ８（柱材）、Ｘ６（横架材）の各金属管Ａは、継手管部ａを介して相互の管内部が連通した状態で接合され、１本のゴミ移送管路Ｄを構成している。このようなゴミ移送管路Ｄを形成するため、各建築用複合材Ｘを構成する金属管Ａの適所には閉塞部材５が設けられ、金属管Ａ内を塞いでいる。そして、ゴミ移送管路Ｄ（建築用複合材Ｘ６の金属管Ａ）の末端が、接続管１３を介してクリーナー本体１２に接続されている。また、ゴミ移送管路Ｄには清掃用吸引口６ａ、６ｂ（この清掃用吸引口の設置位置・設置数は任意）が設けられ、この清掃用吸引口６ａ、６ｂに清掃用アタッチメント７が脱着自在に取り付けられる。
【００１８】
清掃用アタッチメント７は、清掃用吸引口への差し込み部７０、ホース７１、管棒７２、床ブラシ７３などからなるとともに、屋外、床下或いは設置室などに置かれたクリーナー本体１２をＯＮ／ＯＦＦできるスイッチ８を備えている。
図７において、９は清掃用吸引口６ａ、６ｂ側の通電接続部、１０は清掃用アタッチメント７側の通電接続部であり、１１はこれら通電接続部９，１０に各々接続された通電線である。清掃用吸引口６ａ、６ｂに清掃用アタッチメント７が装着された状態で、前記通電接続部９，１０が接続され、クリーナー本体１２のＯＮ／ＯＦＦ操作が可能になる。
【図面の簡単な説明】
【００１９】
【図１】本発明の建築用複合材の一実施形態を示す正面図
【図２】図１に示す建築用複合材の側面図
【図３】図１に示す建築用複合材を金属管Ａと木質材ｂを分解した状態で示す正面図
【図４】本発明の建築用複合材の他の実施形態を示すもので、接合すべき建築用複合材Ｘ、Ｘ′の端部を示す側面図
【図５】図４に示す建築用複合材Ｘを柱材及び横架材として用い、それらを継手管部ａを介して接合した建築物の骨格構造の一例を示す側面図
【図６】セントラルクリーニングシステムを有する本発明の建築物の一実施形態において、建築物の骨格構造を示す側面図
【図７】図６の実施形態において、ゴミ移送管路に設けられる清掃用吸引口とこれに脱着自在に取り付けられる清掃用アタッチメントを示す平面図
【符号の説明】
【００２０】
Ａ  金属管
Ｂ  集成木質材
Ｄ  ゴミ移送管路
ａ  継手管部
ｂ  木質材
Ｘ，Ｘ′，Ｘ１〜Ｘ８  建築用複合材
Ｙ  基礎部
１  固定ボルト
２  ボルト挿通孔
３  ボルト孔
４  木栓
５  閉塞部材
６ａ，６ｂ  清掃用吸引口
７  清掃用アタッチメント
８  スイッチ
９，１０  通電接続部
１１  通電線
１２  クリーナー本体
１３  接続管
７０  差し込み部
７１  ホース
７２  管棒
７３  床ブラシ
【図１】
2007205114.tif 000003
【図２】
2007205114.tif 000004
【図３】
2007205114.tif 000005
【図４】
2007205114.tif 000006
【図５】
2007205114.tif 000007
【図６】
2007205114.tif 000008
【図７】
2007205114.tif 000009